(57)【要約】【課題】マルチディスプレイを構成する各モニタ装置の電源をデイジーチェーンで接続した場合にも、各モニタ装置が安定して立ち上がれるようにする。【解決手段】電源接続部１０１と、接続状態検出部１０２と、接続モニタ数検出部１０３と、輝度値算出部１０４と、送信部１０５とを備える。電源接続部１０１は、他のモニタ装置とディジーチェーンで電源を接続する。接続状態検出部１０２は、電源接続部１０１の接続状態を検出する。接続モニタ数検出部１０３は、接続状態検出部１０２の検出出力から接続されているモニタ装置の数を検出する。輝度値算出部１０４は、接続されているモニタ装置の数に基づいて、バックライトの輝度設定値を求める。送信部１０５は、輝度値算出部１０４で求められたバックライトの輝度設定値を他のモニタ装置に送信する。【選択図】図８
2019158930.tif 000002
【特許請求の範囲】
【請求項１】
他のモニタ装置とディジーチェーンで電源を接続する電源接続部と、
前記電源接続部の接続状態を検出する接続状態検出部と、
前記接続状態検出部の検出出力から接続されているモニタ装置の数を検出する接続モニタ数検出部と、
前記接続されているモニタ装置の数に基づいて、バックライトの輝度設定値を求める輝度値算出部と、
前記輝度値算出部で求められたバックライトの輝度設定値を他のモニタ装置に送信する送信部と
を備えたモニタ装置。
【請求項２】
接続状態検出部は、前記他のモニタ装置に続く検出ラインに電圧を印加する電源と、前記検出ラインに印加する電源をオン／オフするスイッチと、前記検出ラインに所定の抵抗値を付加する抵抗と、前記検出ラインを流れる電流を検出する電流検出回路とを有する請求項１に記載のモニタ装置。
【請求項３】
前記接続モニタ数検出部は、前記電流検出回路で検出された電流値を基に、接続されているモニタ装置の数を検出する請求項２に記載のモニタ装置。
【請求項４】
更に、前記前記電流検出回路で検出された電流値を基に、前記電源接続部に接続されるケーブルの質を検出するケーブル状態検出部を有し、
前記輝度値算出部は、前記接続されているモニタ装置の数と、前記ケーブルの質とに基づいて、バックライトの輝度値を求める請求項２又は３に記載のモニタ装置。
【請求項５】
複数のモニタ装置の電源をディジーチェーンで電源を接続するマルチディスプレイシステムであって、
前記複数のモニタ装置のうちマスタとなるモニタ装置は、
他のモニタ装置とディジーチェーンで電源を接続する電源接続部と、
前記電源接続部の接続状態を検出する接続状態検出部と、
前記接続状態検出部の検出出力から接続されているモニタ装置の数を検出する接続モニタ数検出部と、
前記接続されているモニタ装置の数に基づいて、バックライトの輝度設定値を求める輝度値算出部と、
前記輝度値算出部で求められたバックライトの輝度設定値を他のモニタ装置に送信する送信部とを備え、
前記複数のモニタ装置のうちスレーブとなるモニタ装置は、
前記マスタとなるモニタ装置から送られてきたバックライトの輝度設定値を受信する受信部と、
前記バックライトの輝度設定値に応じて、バックライトの輝度値を設定する輝度値設定部と
を備えるマルチディスプレイシステム。
【請求項６】
複数のモニタ装置の電源をディジーチェーンで電源を接続するマルチディスプレイシステムの電源制御方法であって、
前記複数のモニタ装置のうちマスタとなるモニタ装置が、他のモニタ装置とディジーチェーンで電源を接続する電源接続部の接続状態を検出する工程と、前記電源接続部の接続状態からモニタ装置の数を検出する工程と、前記接続されているモニタ装置の数に基づいて、バックライトの輝度設定値を求める工程と、前記求められたバックライトの輝度設定値を他のモニタ装置に送信する工程と、
前記複数のモニタ装置のうちスレーブとなるモニタ装置が、前記マスタとなるモニタ装置から送られてきたバックライトの輝度設定値を受信する工程と、前記バックライトの輝度設定値に応じて、バックライトの輝度値を設定する工程と
を含むマルチディスプレイシステムの電源制御方法。
【発明の詳細な説明】
【技術分野】
【０００１】
本発明は、モニタ装置、マルチディスプレイシステム、及びマルチディスプレイシステムの電源制御方法に関する。
【背景技術】
【０００２】
マルチディスプレイシステムを構築する際に、映像ケーブルやデータケーブルだけでなく、電源ケーブルをディジーチェーンで接続し、マスタのモニタ装置からスレーブのモニタ装置に電源を供給することが提案されている。複数のモニタ装置の電源ケーブルをディジーチェーンで接続すると、個々のモニタ装置に商用電源等から電源を供給することが不要になり、どのような場所でもマルチディスプレイシステムを容易に構築できる。
【０００３】
また、特許文献１には、マルチディスプレイシステムにおいて、使用開始または使用終了が検知されたディスプレイである制御対象ディスプレイを特定し、制御対象ディスプレイの使用電力を制御するための処理を行うものが記載されている。
【先行技術文献】
【特許文献】
【０００４】
【特許文献１】特開２０１４−１３９６００号公報
【発明の概要】
【発明が解決しようとする課題】
【０００５】
上述のように、複数のモニタ装置の電源ケーブルをディジーチェーンで接続した場合、マスタとなるモニタ装置から全てのスレーブとなるモニタ装置に対して電源が供給される。このため、マスタのモニタ装置に接続されるモニタ装置の台数や、電源ケーブルの質（太さ、長さ）によっては、マスタのモニタ装置からの電力供給が不足し、各モニタ装置の電源が立ち上がらない場合がある。例えば、マスタのモニタ装置のＡＣ／ＤＣコンバータの容量が５００Ｗであり、各モニタ装置の消費電力が１００Ｗであるとすると、マスタのモニタ装置に接続されるモニタの数が４台（マスタを含めて５台）以上になると、マスタのモニタ装置のＡＣ／ＤＣコンバータから供給できる電力容量が必要とされる電力容量に達しないため、各モニタ装置を起動できなくなる。また、電源ケーブルとして抵抗が大きいものが使用されていると、電力供給量が十分であっても、電圧降下が大きくなり、各モニタ装置の電源が立ち上がらない場合がある。
【０００６】
ここで、モニタ装置で最も多く電力を消費するのは、バックライトである。モニタ装置の輝度の設定値は、工場出荷時の設定、又はユーザが最後に使用した設定値となっている。したがって、各モニタ装置の電源が正常に立ち上がっていたとしても、ユーザがモニタ装置の輝度を明るく設定すると、モニタ装置を再起動した際に、各モニタ装置の電源が立ち上がらなくなるようなことも生じ得る。
【０００７】
上述の課題を鑑み、本発明は、マルチディスプレイを構成する各モニタ装置の電源をデイジーチェーンで接続した場合にも、各モニタ装置が安定して立ち上がれるようにしたモニタ装置、マルチディスプレイシステム、及びマルチディスプレイシステムの電源制御方法を提供することを目的とする。
【課題を解決するための手段】
【０００８】
上述の課題を解決するために、本発明の一態様に係るモニタ装置は、他のモニタ装置とディジーチェーンで電源を接続する電源接続部と、前記電源接続部の接続状態を検出する接続状態検出部と、前記接続状態検出部の検出出力から接続されているモニタ装置の数を検出する接続モニタ数検出部と、前記接続されているモニタ装置の数に基づいて、バックライトの輝度設定値を求める輝度値算出部と、前記輝度値算出部で求められたバックライトの輝度設定値を他のモニタ装置に送信する送信部とを備える。
【０００９】
本発明の一態様に係るマルチディスプレイシステムは、複数のモニタ装置の電源をディジーチェーンで電源を接続するマルチディスプレイシステムであって、前記複数のモニタ装置のうちマスタとなるモニタ装置は、他のモニタ装置とディジーチェーンで電源を接続する電源接続部と、前記電源接続部の接続状態を検出する接続状態検出部と、前記接続状態検出部の検出出力から接続されているモニタ装置の数を検出する接続モニタ数検出部と、前記接続されているモニタ装置の数に基づいて、バックライトの輝度設定値を求める輝度値算出部と、前記輝度値算出部で求められたバックライトの輝度設定値を他のモニタ装置に送信する送信部とを備え、前記複数のモニタ装置のうちスレーブとなるモニタ装置は、前記マスタとなるモニタ装置から送られてきたバックライトの輝度設定値を受信する受信部と、前記バックライトの輝度設定値に応じて、バックライトの輝度値を設定する輝度値設定部とを備える。
【００１０】
本発明の一態様に係るマルチディスプレイシステムの電源制御方法は、複数のモニタ装置の電源をディジーチェーンで電源を接続するマルチディスプレイシステムの電源制御方法であって、前記複数のモニタ装置のうちマスタとなるモニタ装置が、他のモニタ装置とディジーチェーンで電源を接続する電源接続部の接続状態を検出する工程と、前記電源接続部の接続状態からモニタ装置の数を検出する工程と、前記接続されているモニタ装置の数に基づいて、バックライトの輝度設定値を求める工程と、前記求められたバックライトの輝度設定値を他のモニタ装置に送信する工程と、前記複数のモニタ装置のうちスレーブとなるモニタ装置が、前記マスタとなるモニタ装置から送られてきたバックライトの輝度設定値を受信する工程と、前記バックライトの輝度設定値に応じて、バックライトの輝度値を設定する工程とを含む。
【発明の効果】
【００１１】
本発明によれば、接続状態検出部により検出ラインを流れる電流を検出し、これにより、接続されるモニタ装置の台数を検出している。そして、接続されるモニタ装置の台数に応じて、バックライトの最大輝度を制限している。これにより、複数のモニタ装置の電源をデイジーチェーン接続する場合に、電源供給不足やケーブルによる電圧降下による起動時の不都合が回避でき、各モニタ装置を安定して立ち上げることができる。
【図面の簡単な説明】
【００１２】
【図１】本発明の第１の実施形態に係るマルチディスプレイシステムの概略構成図である。
【図２】本発明の第１の実施形態に係るマルチディスプレイシステムにおけるモニタ装置の構成を示すブロック図である。
【図３】本発明の第１の実施形態に係るモニタ装置における接続状態検出部の構成の説明図である。
【図４】接続状態検出部の動作の説明図である。
【図５】接続状態検出部の動作の説明図である。
【図６】接続されているディスプレイの台数と検出される電流との関係の説明図である。
【図７】本発明の第１の実施形態に係るマルチディスプレイシステムの動作を説明するためのフローチャートである。
【図８】本発明によるモニタ装置の基本構成を示す概略ブロック図である。
【発明を実施するための形態】
【００１３】
以下、本発明の実施の形態について図面を参照しながら説明する。図１は、本発明の第１の実施形態に係るマルチディスプレイシステムの概略構成図である。図１に示すように、本発明の第１の実施形態に係るマルチディスプレイシステム１は、複数のモニタ装置１０−１〜１０−ｎ（ｎは任意の整数）を並べて構成される。
【００１４】
各モニタ装置１０−１〜１０−ｎは、映像入力端子１１と、映像出力端子１２と、データ入力端子１３と、データ出力端子１４と、ＤＣ（Direct Current）電源入力端子１５と、ＤＣ電源出力端子１６と、ＡＣ（Alternating Current）電源入力端子１７とを備えている。
【００１５】
各モニタ装置１０−１〜１０−ｎの映像ケーブルは、デイジーチェーンで接続される。すなわち、モニタ装置１０−１の映像入力端子１１は、映像供給装置（例えばＰＣ（Personal Computer））の映像出力端子（図示せず）に接続される。モニタ装置１０−１の映像出力端子１２とモニタ装置１０−２の映像入力端子１１とが映像ケーブル２１−１で接続される。モニタ装置１０−２の映像出力端子１２とモニタ装置１０−３の映像入力端子１１とが映像ケーブル２１−２で接続される。以下、モニタ装置１０−ｎの映像入力端子１１は、映像ケーブル２１−（ｎ−１）で、その前段のモニタ装置１０−ｎの映像出力端子１２に接続される。
【００１６】
各モニタ装置１０−１〜１０−ｎのデータケーブルは、デイジーチェーンで接続される。すなわち、モニタ装置１０−１のデータ入力端子１３は、映像供給装置（例えばＰＣ）のデータ入出力端子（図示せず）に接続される。モニタ装置１０−１のデータ出力端子１４とモニタ装置１０−２のデータ入力端子１３とがデータケーブル２２−１で接続される。モニタ装置１０−２のデータ出力端子１４とモニタ装置１０−３のデータ入力端子１３とがデータケーブル２２−２で接続される。以下、モニタ装置１０−ｎのデータ入力端子１３は、データケーブル２２−（ｎ−１）で、その前段のモニタ装置１０−ｎのデータ出力端子１４に接続される。
【００１７】
各モニタ装置１０−１〜１０−ｎの電源ケーブルは、デイジーチェーンで接続される。すなわち、モニタ装置１０−１のＡＣ電源入力端子１７は、商用交流電源１８に接続される。モニタ装置１０−１のＤＣ電源出力端子１６とモニタ装置１０−２のＤＣ電源入力端子１５とが電源ケーブル２３−１で接続される。モニタ装置１０−２のＤＣ電源出力端子１６とモニタ装置１０−３のＤＣ電源入力端子１５とが電源ケーブル２３−２で接続される。以下、モニタ装置１０−ｎのＤＣ電源入力端子１５は、電源ケーブル２３−（ｎ−１）で、その前段のモニタ装置１０−ｎのＤＣ電源出力端子１６に接続される。
【００１８】
図１に示すようにディジーチェーンで接続されたモニタ装置１０−１〜１０−ｎは、１つの機器がマスタとなり、他の機器がスレーブとなり、マスタの機器からスレーブの機器にコマンドを送信できる。この例では、モニタ装置１０−１がマスタとなり、他のモニタ装置１０−２〜１０−ｎがスレーブとなる。マスタとなるモニタ装置１０−１は、データケーブル２２−１、２２−２、２２−（ｎ−１）を介して、他のモニタ装置１０−２〜１０−ｎにコマンドを送ることができる。
【００１９】
また、映像供給装置からの映像データは、マスタとなるモニタ装置１０−１から、映像ケーブル２１−１、２１−２、２１−（ｎ−１）を介して、他のモニタ装置１０−２〜１０−ｎに送られる。例えばマルチストリーム機能をサポートした映像インターフェース（例えばＤＰ（DisplayPort））を用いれば、映像ケーブル２１−１、２１−２、２１−（ｎ−１）をディジーチェーンで接続しても、各モニタ装置１０−１〜１０−ｎ毎に、映像データを指定できる。
【００２０】
更に、各モニタ装置１０−１〜１０−ｎの電源は、マスタとなるモニタ装置１０−１から、電源ケーブル２３−１、２３−２、２３−（ｎ−１）を介して、他のモニタ装置１０−２〜１０−ｎに送られる。すなわち、この例では、マスタとなるモニタ装置１０−１のＡＣ電源入力端子１７に、商用交流電源１８からのＡＣ電源が入力される。このＡＣ電源がモニタ装置１０−１のＡＣ／ＤＣコンバータ５７（図２参照）で直流電源に変換され、モニタ装置１０−１の電源として使用される。また、モニタ装置１０−１のＡＣ／ＤＣコンバータで変換された直流電源は、モニタ装置１０−１のＤＣ電源出力端子１６から出力される。この直流電源が電源ケーブル２３−１〜２３−（ｎ−１）を介してモニタ装置１０−２〜１０−ｎに供給される。
【００２１】
なお、この例では、モニタ装置１０−１のＡＣ電源入力端子１７からの商用交流電源を直流電源に変換して、モニタ装置１０−１〜１０−ｎに供給しているが、モニタ装置１０−１のＤＣ電源入力端子１５にバッテリー等から直流電源を供給し、この直流電源を電源ケーブル２３−１〜２３−（ｎ−１）を介してモニタ装置１０−１〜１０−ｎに供給しても良い。
【００２２】
図２は、本発明の第１の実施形態に係るマルチディスプレイシステム１におけるモニタ装置１０（１０−１〜１０−ｎ）の構成を示すブロック図である。図２に示すように、本実施形態に係るモニタ装置１０は、映像入力部５０と、映像処理部５１と、表示部５２と、バックライト５３と、制御部５４と、メモリ５５と、通信部５６と、ＡＣ／ＤＣコンバータ５７と、接続状態検出部５８とを備えている。映像入力部５０、映像処理部５１、表示部５２、バックライト５３、制御部５４、メモリ５５、及び通信部５６は、モニタ装置１０の基本動作を行うための主回路部６０を構成している。
【００２３】
映像入力部５０は、制御部５４の制御の基に、映像入力端子１１からの入力映像信号を選択して、映像処理部５１に出力する。また、映像入力部５０は、映像出力端子１２に映像信号を出力する。映像入力部５０としては、ＤＰ（DisplayPort）、ＨＤＭＩ（登録商標）（High Definition Multimedia Interface）、ＤＶＩ（Digital Visual Interface）、ＶＧＡ（Video Graphics Array）等のインターフェースのものが用いられる。
【００２４】
映像処理部５１は、映像入力部５０からの入力映像信号に対して、制御部５４の制御の基に、輝度補正、色補正、解像度変換等、種々の映像処理を行う。映像処理部５１の出力は、表示部５２に供給される。
【００２５】
表示部５２は、入力映像信号に基づく画像を表示する。表示部５２としては、ＬＣＤ（Liquid Crystal Display）が用いられる。表示部５２の背面には、バックライト５３が配設される。バックライト５３は、制御部５４の制御の基に、表示部５２に対して透過光を照射する。
【００２６】
制御部５４は、ＣＰＵ(Central Processing Unit)等からなり、モニタ装置１０の全体制御を行っている。制御部５４に対して、メモリ５５が設けられる。メモリ５５には、映像処理部５１での輝度補正、色補正、解像度変換等の設定値や、バックライト５３の輝度値等、各種の設定値が保存される。メモリ５５の設定値は、工場出荷時には、初期値が記憶されている。また、ユーザが設定値を変更すると、最後に設定された設定値が記憶される。
【００２７】
通信部５６は、データ入力端子１３及びデータ出力端子１４を介して、他の表示装置との間で、コマンドやデータのやり取りを行う。通信部５６としては、例えばＬＡＮ（Local Area Network ）をサポートするインターフェースが用いられる。
【００２８】
ＡＣ／ＤＣコンバータ５７及び接続状態検出部５８は、モニタ装置１０の電源制御に関する動作を実現する。なお、図２に示すように、ＤＣ電源入力端子１５は、正極入力端子１５ａと負極入力端子１５ｂと検出端子１５ｃとの３つの端子からなる。また、ＤＣ電源出力端子１６は、正極出力端子１６ａと負極出力端子１６ｂと検出端子１６ｃとの３つの端子からなる。また、図１に示した電源ケーブル２３−１〜２３−（ｎ−１）は、３芯のケーブルとなっている。
【００２９】
ＡＣ電源入力端子１７には、商用交流電源からＡＣ電源が入力される。ＡＣ／ＤＣコンバータ５７は、入力されたＡＣ電源を所望の電圧のＤＣ電源に変換し、ダイオード６３を介して、正極電源ライン６５ａに出力する。また、ＡＣ／ＤＣコンバータ５７の動作は、制御部５４により制御されている。
【００３０】
正極電源ライン６５ａは、正極入力端子１５ａと正極出力端子１６ａとの間を繋いでいる。正極電源ライン６５ａには、ダイオード６４を介して、正極入力端子１５ａからの直流電源が供給される。正極電源ライン６５ａを流れる直流電源は、正極出力端子１６ａから出力されるとともに、主回路部６０に供給される。
【００３１】
接続状態検出部５８は、接続されているモニタ装置の台数やケーブルの質（太さ、長さ）を検出する。接続状態検出部５８は、検出端子１５ｃと検出端子１６ｃとの間を繋ぐ検出ライン６５ｃ中に設けられている。
【００３２】
図３は、本発明の第１の実施形態に係るモニタ装置１０における接続状態検出部５８の構成の説明図である。図３に示すように、接続状態検出部５８は、電流検出回路７１と、直流電源７２と、抵抗７３及び７４と、スイッチ７５及び７６とから構成される。抵抗７３及び７４は、検出ライン６５ｃに所定値の抵抗を付加する。スイッチ７５及び７６は、制御部５４により制御される。スイッチ７５は、直流電源７２の印加をオン／オフする。スイッチ７６は、検出ライン６５ｃをオン／オフする。電流検出回路７１は、検出ライン６５ｃを流れる電流を検出する。電流検出回路７１は、検出抵抗８１と、検出抵抗の両端電圧を計測する演算増幅器８２とで構成できる。電流検出回路７１の検出出力は、制御部５４に送られる。
【００３３】
制御部５４は、電流検出回路７１の検出出力から、接続されているモニタ装置の台数と電源ケーブルの質を検出する。そして、接続されているモニタ装置の数に基づいて、バックライトの輝度設定値を求める。通信部５６は、求められたバックライトの輝度設定値を他のモニタ装置に送信する。すなわち、制御部５４は、接続状態検出部５８の検出出力から接続されているモニタ装置の数を検出する接続モニタ数検出部及びケーブルの質を検出するケーブル状態検出部として機能する。また、制御部５４は、接続されているモニタ装置の数及びケーブル状態に基づいて、バックライトの輝度設定値を求める輝度値算出部として機能する。また、通信部５６は、輝度値算出部で求められたバックライトの輝度設定値を他のモニタ装置１０−２から１０−ｎに送信する送信部として機能する。
【００３４】
このように、本発明の実施形態では、モニタ装置１０−１〜１０−ｎに、接続状態検出部５８が設けられている。複数のモニタ装置１０−１〜１０−ｎを接続してマルチディスプレイシステム１を構築した場合、マスタとなるモニタ装置１０−１は、接続状態検出部５８の検出値から、接続されているモニタ装置の台数やケーブルの質を検出する。そして、マスタとなるモニタ装置１０−１は、接続されているモニタ装置の台数やケーブルの質に応じて、各モニタ装置１０−２〜１０−ｎのバックライトの輝度を制限して、最低限の表示を行えるようにしている。このことについて、更に説明する。
【００３５】
図４及び図５は、接続状態検出部５８の動作の説明図である。図４（Ａ）は、１つのモニタ装置１０−１をスタンドアロンで使用した場合を示している。図４（Ａ）において、モニタ装置１０−１における抵抗７３の抵抗値をＲ１−１とし、抵抗７４の抵抗値をＲ１−２とし、直流電源７２の電圧をＶ１とする。ディスプレイの接続状態を検出する場合には、スイッチ７５及びスイッチ７６はオンされる。
【００３６】
スイッチ７５及び７６がオンされると、直流電源７２の電圧Ｖ１が印加され、検出ライン６５ｃに電流Ｉが流れる。検出ライン６５ｃと負極電源ライン６５ｂとの間には、抵抗７３及び抵抗７４が並列に接続されている。したがって、検出ライン６５ｃに流れる電流Ｉは、以下のようになる。
【００３７】
【数１】
2019158930.tif 000003
【００３８】
図４（Ｂ）は、モニタ装置１０−１にモニタ装置１０−２を接続した場合を示している。この場合、モニタ装置１０−１がマスタとなり、モニタ装置１０−２がスレーブとなる。モニタ装置１０−１とモニタ装置１０−２との間は、３芯の電源ケーブル２３−１で接続される。電源ケーブル２３−１には抵抗成分が含まれており、この抵抗成分の抵抗値をＲＣ１とする。この抵抗成分は、電源ケーブル２３−１の質（太さ、長さ）に関連する。ディスプレイの接続状態を検出する場合には、マスタのモニタ装置１０−１のスイッチ７５及びスイッチ７６はオンされる。また、スレーブのモニタ装置１０−２のスイッチ７５はオフされ、スイッチ７６はオンされる。
【００３９】
モニタ装置１０−１のスイッチ７５及び７６がオンされ、スレーブのモニタ装置１０−２のスイッチ７６がオンされると、直流電源７２の電圧Ｖ１が印加され、モニタ装置１０−１の検出ライン６５ｃ、モニタ装置１０−１の検出端子１６ｃとモニタ装置１０−２の検出端子１５ｃとの間の電源ケーブル、及びモニタ装置１０−２の検出ライン６５ｃに電流Ｉが流れる。モニタ装置１０−１の検出ライン６５ｃと負極電源ライン６５ｂとの間には、抵抗７３及び抵抗７４が並列に接続されている。同様に、モニタ装置１０−２の検出ライン６５ｃと負極電源ライン６５ｂとの間には、抵抗７３及び抵抗７４が並列に接続されている。更に、モニタ装置１０−１の検出端子１６ｃとモニタ装置１０−２の検出端子１５ｃとの間の電源ケーブルには、抵抗成分Ｒｃ１がある。よって、検出ライン６５ｃに流れる電流Ｉは、以下のようになる。
【００４０】
【数２】
2019158930.tif 000004
【００４１】
図５は、モニタ装置１０−１にｎ個のモニタ装置１０−ｎを接続した場合を示している。この場合には、検出ライン６５ｃに流れる電流Ｉは、以下のようになる。
【００４２】
【数３】
2019158930.tif 000005
【００４３】
このように、マスタのモニタ装置１０−１の検出ライン６５ｃに流れる電流は、接続されるモニタ装置の台数や、電源ケーブル２３−１、２３−２、…の質（太さ、長さ）により変化する。
【００４４】
モニタ装置１０−１の検出ライン６５ｃに流れる電流は、接続状態検出部５８の電流検出回路７１で検出され、制御部５４に送られる。制御部５４は、電流検出回路７１により検出された電流Ｉｓｅｃから、接続されているモニタ装置の台数を判定する。
【００４５】
すなわち、上述の結果から、接続されているモニタ装置の台数と、電流検出回路７１により検出される電流Ｉｓｅｃとの関係が分かる。図６は、接続されているディスプレイの台数と電流検出回路７１により検出される電流Ｉｓｅｃとの関係の説明図である。この関係を基に、電流検出回路７１により検出される電流Ｉｓｅｃから、接続されているモニタ装置の台数が判定できる。また、電流検出回路７１により検出される電流Ｉｓｅｃには、電源ケーブルの抵抗成分が含まれている。よって、電流検出回路７１により検出される電流Ｉｓｅｃから、電源ケーブルの質が検出できる。
【００４６】
マスタのモニタ装置１０−１の制御部５４は、電流検出回路７１の検出値からモニタ装置の接続台数を判定すると、バックライトの輝度の設定値を以下のように決定する。ここで、ケーブル補正値ｋは、ケーブルの抵抗値に基づいて検出されるケーブルの質に応じて予め決定された補正値である。
【００４７】
モニタ装置の輝度の最大値／ｎ×ｋ＝設定輝度（％）
ｎ：モニタ装置の接続台数
ｋ：ケーブル補正値
【００４８】
バックライトの輝度の設定値が決定されると、マスタのモニタ装置１０−１の制御部５４は、デイジーチェーンのデータケーブル２２−１、２２−２、…を介して、スレーブのモニタ装置１０−２、１０−（ｎ−１）、…にバックライトの輝度の設定値を送信する。
【００４９】
スレーブのモニタ装置１０−２、１０−（ｎ−１）、…の制御部５４は、バックライトの輝度の設定値を受信すると、各モニタ装置１０−２、１０−（ｎ−１）、…のバックライト５３の輝度値を受信した設定値となるように設定する。
【００５０】
このように、本実施形態では、モニタ装置１０−１〜１０−ｎに接続状態検出部５８を設け、接続状態検出部５８の電流検出回路７１により検出ラインを流れる電流を検出し、これにより、接続されるモニタ装置の台数とケーブルの質を検出している。そして、接続されるモニタ装置の台数とケーブルの質に応じて、バックライトの最大輝度を制限している。これにより、複数のモニタ装置１０−１〜１０−ｎの電源をデイジーチェーン接続する場合に、電源供給不足やケーブルによる電圧降下による起動時の不都合が回避でき、各モニタ装置１０−１〜１０−ｎを安定して立ち上げることができる。
【００５１】
図７は、本発明の第１の実施形態に係るマルチディスプレイシステムの動作を説明するためのフローチャートである。
（ステップＳ１０１）マルチディスプレイシステムのメインスイッチをオンし、処理をステップＳ１０２に進める。
【００５２】
（ステップＳ１０２）マスタのモニタ装置１０−１の制御部５４は、ＡＣ電源が入力されたか否かを判定し、ＡＣ電源が入力されていなければ（ステップＳ１０２：Ｎｏ）、処理をステップＳ１０３に進める。
【００５３】
（ステップＳ１０３）スレーブのモニタ装置１０−２〜１０−ｎは、外部ＤＣ電源の入力があるか否かを判定し、外部ＤＣ電源の入力がなければ（ステップＳ１０３：Ｎｏ）、処理をステップＳ１０４に進める。
【００５４】
（ステップＳ１０４）マスタのモニタ装置１０−１の制御部５４は、待機状態の間に、スイッチ７５及びスイッチ７６をオンに設定し、電流検出回路７１の電流計測値を取得する。
【００５５】
（ステップＳ１０５）マスタのモニタ装置１０−１の制御部５４は、ＤＣ電源を出力するか否かを判定し、ＤＣ電源を出力する場合には（ステップＳ１０５：Ｙｅｓ）、処理をステップＳ１０６に進める。
【００５６】
（ステップＳ１０６）マスタのモニタ装置１０−１の制御部５４は、電流検出回路７１の電流計測値から、モニタ装置の接続台数ｎを検出して、処理をステップＳ１０７に進める。
【００５７】
（ステップＳ１０７）マスタのモニタ装置１０−１の制御部５４は、電流検出回路７１の電流計測値から、ケーブル補正値ｋを検出する。
【００５８】
（ステップＳ１０８）マスタのモニタ装置１０−１の制御部５４は、最大輝度値と、モニタの接続台数と、ケーブル補正値とから、バックライト輝度設定値を算出して、処理をステップＳ１０９い進める。
【００５９】
（ステップＳ１０９）マスタのモニタ装置１０−１の制御部５４は、算出されたバックライト輝度設定値が所定値（例えば１０％）以上か否かを判定する。バックライト輝度設定値が所定値以上なら（ステップＳ１０９：Ｙｅｓ）、処理をステップＳ１１０に進める。
【００６０】
（ステップＳ１１０）マスタのモニタ装置１０−１の制御部５４は、算出したバックライト輝度設定値を、スレーブのモニタ装置１０−２〜１０−ｎに送信して、処理をステップＳ１１１に進める。
【００６１】
（ステップＳ１１１）マスタのモニタ装置１０−１の制御部５４は、表示部５２を起動して、処理をステップＳ１１２に進める。
【００６２】
（ステップＳ１１２）マスタのモニタ装置１０−１の制御部５４は、バックライト５３の輝度を算出したバックライト輝度設定値に設定して、輝度低下モードで動作させる。
【００６３】
このように、マスタのモニタ装置１０−１は、待機状態の間に、電流検出回路７１の電流計測値を取得し、この電流計測値から、モニタの接続台数とエーブル補正値を検出し、このモニタの接続台数とケーブル補正値とから、バックライト輝度設定値を算出している。そして、このバックライトの輝度設定値がスレーブのモニタ装置１０−１〜１０−ｎに送信される。
【００６４】
なお、ステップＳ１０５で、ＤＣ電源が出力されない場合には、モニタ装置１０−１はスタンドアロンで使用されている。この場合には、電力供給不足になることはないので、通常動作で処理が行われる。すなわち、ステップＳ１０５で、ＤＣ電源が出力されない場合には（ステップＳ１０５：Ｎｏ）、ステップＳ１１３に処理が進められる。
【００６５】
（ステップＳ１１３）モニタ装置１０−１の制御部５４は、表示部５２を起動して、処理をステップＳ１１４に進める。
【００６６】
（ステップＳ１１４）モニタ装置１０−１の制御部５４は、バックライトの輝度設置は行わず、通常の動作を行わせる。
【００６７】
また、ステップＳ１０９で、バックライト輝度設定値が所定値未満なら、正常な起動は行えない。この場合には、エラーを表示して、ユーザに警告する。すなわち、ステップＳ１０９でバックライト輝度設定値が所定値未満なら（ステップＳ１０９：Ｎｏ）、処理をステップＳ１１５に進める。
【００６８】
（ステップＳ１１５）マスタのモニタ装置１０−１の制御部５４は、起動できないことを示すエラーインジケータを表示して、処理をステップＳ１０２にリターンする。
【００６９】
スレーブのモニタ装置１０−２〜１０−ｎは、マスタのモニタ装置１０−１からＤＣ電源が出力されると、外部ＤＣ電源の入力があると判定されるようになる。ステップＳ１０３で、外部ＤＣ電源の入力があると判定されると（ステップＳ１０３：Ｙｅｓ）、処理はステップＳ１１６に進められる。
【００７０】
（ステップＳ１１６）スレーブのモニタ装置１０−２〜１０−ｎの制御部５４は、マスタのモニタ装置１０−１から、バックライトの輝度設定値が受信されたか否かを判定する。バックライトの輝度設定値が受信されたら（ステップＳ１１６：Ｙｅｓ）、処理をステップＳ１１７に進める。
【００７１】
（ステップＳ１１７）スレーブのモニタ装置１０−２〜１０−ｎの制御部５４は、表示部５２を起動して、処理をステップＳ１１８に進める。
【００７２】
（ステップＳ１１８）スレーブのモニタ装置１０−２〜１０−ｎの制御部５４は、バックライト５３の輝度を算出したバックライト輝度設定値に設定して、輝度低下モードで動作させる。
【００７３】
（ステップＳ１１９）マルチディスプレイシステムのメインスイッチをオフすると、処理を終了する。
【００７４】
図８は、本発明によるモニタ装置の基本構成を示す概略ブロック図である。本発明によるモニタ装置１００の基本構成は、図８に示すとおりである。すなわち、本発明によるモニタ装置１００は、電源接続部１０１と、接続状態検出部１０２と、接続モニタ数検出部１０３と、輝度値算出部１０４と、送信部１０５とを備える。電源接続部１０１は、他のモニタ装置とディジーチェーンで電源を接続する。接続状態検出部１０２は、電源接続部１０１の接続状態を検出する。接続モニタ数検出部１０３は、接続状態検出部１０２の検出出力から接続されているモニタ装置の数を検出する。輝度値算出部１０４は、接続されているモニタ装置の数に基づいて、バックライトの輝度設定値を求める。送信部１０５は、輝度値算出部１０４で求められたバックライトの輝度設定値を他のモニタ装置に送信する。
【００７５】
上述した実施形態におけるマルチディスプレイシステム１の全部または一部をコンピュータで実現するようにしてもよい。その場合、この機能を実現するためのプログラムをコンピュータ読み取り可能な記録媒体に記録して、この記録媒体に記録されたプログラムをコンピュータシステムに読み込ませ、実行することによって実現してもよい。なお、ここでいう「コンピュータシステム」とは、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含んでもよい。また上記プログラムは、前述した機能の一部を実現するためのものであってもよく、さらに前述した機能をコンピュータシステムにすでに記録されているプログラムとの組み合わせで実現できるものであってもよく、ＦＰＧＡ等のプログラマブルロジックデバイスを用いて実現されるものであってもよい。
【００７６】
以上、この発明の実施形態について図面を参照して詳述してきたが、具体的な構成はこの実施形態に限られるものではなく、この発明の要旨を逸脱しない範囲の設計等も含まれる。
【符号の説明】
【００７７】
１０−１〜１０−ｎ：モニタ装置、１１：映像入力端子、１２：映像出力端子、１３：データ入力端子、１４：データ出力端子、１５：ＤＣ電源入力端子、１６：ＤＣC電源出力端子、１７：ＡＣ電源入力端子、５３：バックライト、５４：制御部、５７：ＡＣ／ＤＣコンバータ、５８：接続状態検出部、７１：電流検出回路、１００：モニタ装置、１０１：電源接続部、１０２：接続状態検出部、１０３：接続モニタ数検出部、１０４：輝度値算出部、１０５：送信部
【図１】
2019158930.tif 000006
【図２】
2019158930.tif 000007
【図３】
2019158930.tif 000008
【図４】
2019158930.tif 000009
【図５】
2019158930.tif 000010
【図６】
2019158930.tif 000011
【図７】
2019158930.tif 000012
【図８】
2019158930.tif 000013